(57)【特許請求の範囲】
【請求項１】
サイプ長さを有しタイヤトレッド中に延在する波形サイプであって、
第１の振幅、第１の幅、および第１の波長を有する第１の波形によって定義される径方向外側部分と、
第２の振幅、第２の幅、および第２の波長を有する第２の波形によって定義される径方向内側部分と、を備え、
前記第２の波形が前記第１の波形と同じタイプの波形であり、
前記第２の波長は前記第１の波長と異なり、
前記第１の波形がサイン波形であり、
前記第２の振幅は前記第１の振幅と異なり、
前記サイプの幅は、連続線形関数として前記サイプの深さの増加とともに増加し、
前記第１の波長が前記サイプ長さの５％未満であり、
前記第２の波長が前記サイプ長さの５％未満であり、
前記第２の振幅が前記第１の波長の１０％未満であり、
前記第２の振幅が前記第２の波長の１０％未満であり、
前記第１の幅が０ｍｍから５ｍｍまでにあり、
前記サイプ長さが２ｍｍと５０ｍｍの間にある、
波形サイプ。
【請求項２】
前記第１の波長が２ｍｍと２．５ｍｍの間にある、請求項１に記載の波形サイプ。
【請求項３】
前記第２の幅が前記第１の幅よりも大きい、請求項２に記載の波形サイプ。
【請求項４】
波形サイプを内部に備える少なくとも１つのトレッド要素を備えるタイヤトレッドであって、前記波形サイプが、サイプ長さ、サイプ幅およびサイプ深さを有し、タイヤトレッド中に延在し、前記波形サイプが、
第１の振幅、第１の幅、および第１の波長を有する第１の波形によって定義される径方向外側部分であって、前記第１の波形がサイン波形である、径方向外側部分と、
第２の振幅、第２の幅、および第２の波長を有する第２の波形によって定義される径方向内側部分であって、前記第２の波形が前記第１の波形と同じタイプの波形である、径方向内側部分とを備え、
前記第２の波長は前記第１の波長と異なり、
前記第２の振幅は前記第１の振幅と異なり、
前記サイプの幅は、連続線形関数として前記サイプの深さの増加とともに増加し、
前記第１の波長が前記サイプ長さの５％未満であり、
前記第２の波長が前記サイプ長さの５％未満であり、
前記第２の振幅が前記第１の波長の１０％未満であり、
前記第２の振幅が前記第２の波長の１０％未満であり、
前記第１の幅が０ｍｍから５ｍｍまでにあり、
前記サイプ長さが２ｍｍと５０ｍｍの間にある、
タイヤトレッド。
【請求項５】
前記第１の波長が２ｍｍと２．５ｍｍの間にある、請求項４に記載の波形サイプ。
【請求項６】
前記第２の幅が前記第１の幅よりも大きい、請求項５に記載の波形サイプ。
【請求項７】
長さおよび幅を有し、タイヤトレッド中への広がりによって定義される深さを有する波形サイプであって、
前記波形サイプが、
第１の振幅、第１の幅、および第１の波長を有する第１の波形によって定義される径方向外側部分を備え、
前記第１の波形がサイン波形であり、
前記第１の幅が０ｍｍから５ｍｍまでであり、
前記第１の波長が２ｍｍと２．５ｍｍの間にあり、
前記波形サイプがさらに、
第２の振幅、第２の幅、および第２の波長を有する第２の波形によって定義される径方向内側部分を備え、
前記第２の波形が前記第１の波形と同じタイプの波形であり、
前記第２の幅が前記第１の幅よりも大きく、
前記サイプの長さが２ｍｍと５０ｍｍの間にあり、
前記サイプの幅がオープニング関数によって説明され、
前記第１の波長が前記サイプ長さの５％未満であり、
前記第２の波長が前記サイプ長さの５％未満であり、
前記第２の振幅が前記第１の波長の１０％未満であり、
前記第２の振幅が前記第２の波長の１０％未満である、
波形サイプ。
【発明の詳細な説明】
【技術分野】
【０００１】
本明細書で開示する特定の実施形態は、概して、タイヤに関する。より詳細には、本明
細書ではタイヤのサイプに関する実施形態を開示する。
【背景技術】
【０００２】
タイヤの性能は重要な関心事である。タイヤやタイヤを使用する車両などの製造者およ
び開発者の間では、タイヤの特徴およびタイヤトレッドの特徴は非常に重要である。
【０００３】
研究の一領域は、ラグ、溝、隙間、サイプ、渦巻き、リブ、および／またはひだなど、
トレッドの特性がトレッドの特徴および／またはタイヤ性能に影響を及ぼす様相に関する
ものである。
【発明の概要】
【発明が解決しようとする課題】
【０００４】
タイヤ性能に影響を及ぼす、サイプなど、トレッドの特性を提供することが依然として
望まれている。
【課題を解決するための手段】
【０００５】
第１の振幅、第１の幅、および第１の波長を有する第１の波形によって定義される径方
向外側部分と、第２の振幅、第２の幅、および第２の波長を有する第２の波形によって定
義される径方向内側部分とを備える、タイヤトレッド中に延在するサイプが提供される。
第１の波長は、サイプ長さの５％未満でよいか、もしくはサイプ長さの１００％超でよい
か、または第２の波長はサイプ長さの５％未満でよいか、もしくはサイプ長さの１００％
超でよいか、または第２の振幅は第１の波長の５０％超でよいか、もしくは第１の波長の
１０％未満でよいか、または第２の振幅は第２の波長の５０％超でよいか、もしくは第２
の波長の１０％未満でよい。
【０００６】
波形サイプを内部に備える少なくとも１つのトレッド要素を備えるタイヤトレッドがさ
らに提供される。波形サイプは、長さを有し、タイヤトレッド中に延在し、径方向外側部
分および径方向内側部分を備えることができる。径方向外側部分は、第１の振幅、第１の
幅、および第１の波長を有する第１の波形によって定義することができる。第１の波形は
、サインまたはジグザグ形の波形でよい。径方向内側部分は、第２の振幅、第２の幅、お
よび第２の波長を有する第２の波形によって定義することができる。第２の波形は、第１
の波形と同じタイプの波形でよい。第１の波長はサイプ長さの５％未満でよいか、もしく
はサイプ長さの１００％超よいか、または第２の波長はサイプ長さの５％未満よいか、も
しくはサイプ長さの１００％超でよいか、または第２の振幅は第１の波長の５０％超でよ
いか、もしくは第１の波長の１０％未満でよいか、または第２の振幅は第２の波長の５０
％超でよいか、もしくは第２の波長の１０％未満でよい。
【０００７】
長さおよび幅を有し、タイヤトレッド中への範囲によって定義された深さを有する波形
サイプが提供される。波形サイプは、径方向外側部分および径方向内側部分を備えること
ができる。径方向外側部分は、第１の振幅、第１の幅、および第１の波長を有する第１の
波形によって定義することができる。第１の波形はサインまたはジグザグ形の波形でよい
。第１の幅は０ｍｍから５ｍｍまででよい。第１の波長は２ｍｍと５０ｍｍの間にあって
よい。径方向内側部分は、第２の振幅、第２の幅、および第２の波長を有する第２の波形
によって定義することができる。第２の波形は第１の波形と同じタイプの波形でよい。第
２の幅は第１の幅よりも大きくてよい。サイプ長さは２ｍｍと５０ｍｍの間にあってよい
。サイプの幅はオープニング関数によって説明することができる。第１の波長はサイプ長
さの５％未満でよいか、もしくはサイプ長さの１００％超でよいか、または第２の波長は
サイプ長さの５％未満でよいか、もしくはサイプ長さの１００％超でよいか、または第２
の振幅は第１の波長の５０％超でよいか、もしくは第１の波長の１０％未満でよいか、ま
たは第２の振幅は第２の波長の５０％超でよいか、もしくは第２の波長の１０％未満でよ
い。
【図面の簡単な説明】
【０００８】
【図１】タイヤの非限定的な実施形態を示す。
【図２】タイヤの一部分の非限定的な実施形態を示す。
【図３】サイプをその中に有するトレッドの非限定的な実施形態を示す。
【図４】波形サイプが取り得る形態のいくつかを示す。
【図５】正弦波を示す。
【図６】１組の正弦波を示す。
【図７】サイプの一実施形態の詳細図を示す。
【図８】非限定的なトレッドの部分拡大図を示す。
【図９】非限定的なトレッドの部分拡大図を示す。
【図１０】非限定的なトレッドの部分拡大図を示す。
【図１１】非限定的なトレッドの部分拡大図を示す。
【図１２】非限定的なトレッドの部分拡大図を示す。
【図１３】非限定的なトレッドの部分拡大図を示す。
【図１４】非限定的なトレッドの部分拡大図を示す。
【図１５】非限定的なトレッドの部分拡大図を示す。
【図１６】非限定的なトレッドの部分拡大図を示す。
【発明を実施するための形態】
【０００９】
図１〜図１６を参照する。図は３次元のサイプの特定の実施形態を例示する目的でのみ
示されている。
【００１０】
図１にタイヤ１００の非限定的な実施形態を示す。図１に示すように、一部の実施形態
では、タイヤがトレッド１１０を備える。タイヤトレッド１１０、すなわちタイヤの踏面
はタイヤ１００の周囲面を形成する。トレッド１１０は、あるトレッドパターンの溝、サ
イプ、リブ、ブロック、および他の形状要素を備えることができる。タイヤトレッド１１
０の溝、サイプ、リブ、ブロック、および他の形状要素は、タイヤ１００から水を排除す
るのを助け、タイヤの騒音に影響を及ぼし、静止摩擦に影響を及ぼすか、または他の点で
はタイヤ性能に影響を及ぼすことができる。
【００１１】
図２にタイヤ２００の非限定的な一部分を示す。図２に示すタイヤ２００の非限定的な
一部分のトレッド領域２１０は、リブ２２０、トレッドブロック２３０、溝２４０、およ
びサイプ２５０を備える。図３に、サイプ３１０のいくつかの例を有するトレッドの非限
定的な例を示す。サイプ２５０は、トレッド内の非常に細い隙間または薄い切り込みであ
る。サイプ２５０の幅は、典型的には、０ミリメートルから５ミリメートルまでにある。
本明細書で以下にさらに開示するように、サイプ２５０の幅は、深さに応じてまたはサイ
プ２５０の長さに沿って変更することができる。幅０ｍｍのサイプもやはりサイプのエッ
ジ、長さ、深さ、および形状を備える。さらに、幅０ｍｍのサイプは、サイプがその中に
形成されたタイヤの動作中に、サイプ面の間を開くかまたはサイプ面同士のスリップもし
くは動きを可能にすることができる。サイプ２５０は、かなりの深さを有してよく、実質
的に細長くてもよい。サイプ２５０が描く細長い線の経路は、任意の多数の形態を取るこ
とができる。サイプ２５０が、直線的な形状、湾曲した形状、弓形の形状、波形、または
それらの組み合わせを含むことができる。図４に、波形サイプが取り得る形態の一部を示
す：サインすなわち正弦曲線４１０、正方形４２０、傾斜状４３０、鋸歯４４０、または
三角形４５０。本明細書では、別段の注記がない限り、用語「ジグザグ形（ｚｉｇ−ｚａ
ｇｅｄ）」とは、図４に示すような傾斜状４３０、鋸歯４４０、および三角形４５０の形
態を含む。限定しないが、図３にジグザグ形のサイプ３１０いくつかの例を示す。限定さ
れないがストレス集中の要因が含まれる性能および工学的な理由から波形のタイプは重要
であるが、本明細書の開示は別段の注記がない限り全ての種類の波形に関するものである
。
【００１２】
図５を参照すると、限定しないが、正弦曲線の波形５１０は：
ｙ（ｘ）＝Ａ・ｓｉｎ（ωｘ＋φ）
の形態を有する等式によって定義することができる。
ここで：
図５では、ｙ（ｘ）はｘ方向に垂直な方向における変位であり、ｘ方向は水平方向（距
離）であり；
Ａは振幅、すなわち中心位置からの関数の最大の偏差であり；
ωは角振動周波数であり；
φは、その周期内で振動が開始する位置を指定する位相である。
【００１３】
振幅Ａ、角振動数ω、および位相φはそれぞれ、任意の実数とすることができる。正方
形の波形４２０およびジグザグ形の波形４３０、４４０、４５０、ならびに他の波形は、
フーリエ級数を用いて定義または実質的に近似することができる。したがって、波形サイ
プは、その波のタイプ、振幅すなわち「ピッチ幅（ｐｉｔｃｈ  ｗｉｄｔｈ）」、および
波長（λ）すなわち「ピッチ長さ（ｐｉｔｃｈ  ｌｅｎｇｔｈ）」から説明することがで
きる。
【００１４】
図４、図５、および図６を参照すると、波形は波のタイプ、波長、および振幅から説明
することができる。別の方法では、波形は、波のタイプ、振動数、および振幅から説明す
ることができる。図６に正弦波を３つ示す。上の波６１０は一定の振幅および一定の振動
数を有する。中央の波６２０は、一定の振幅および一定の振動数を有するが、振動数が上
の波とは少し異なる。下の波６３０は、上の波と中央の波の和である。下の波６３０はう
なりを示し；波６３０の振幅が波の経路６３５に沿って変更可能である。一般的に言うと
、波形は、さらに多くの他の波形のうちの２つを合わせることによって形成することがで
きる。上記で言及したように、図４に示す正方形の波形４２０およびジグザグ形の波形４
３０、４４０、４５０はそれぞれ、正弦波の和によって形成するかまたは実質的に近似す
ることができる。上記で言及したように、いくつかの非正弦曲線の波形は、正弦曲線の波
形の和またはフーリエ級数から説明することができる。
【００１５】
非限定的な図７を参照すると、上記で言及したように、サイプ７１０は深さを有する。
サイプの深さは、タイヤの径方向に平行であるか否かに関わらず、サイプ７１０が径方向
外側部分７２０および径方向内側部分７３０を有するような径方向の寸法として説明する
ことができる。サイプの上部７４０はサイプの径方向に最も外側の部分であり、サイプの
底部７５０はサイプ７１０の径方向に最も内側の部分である。サイプ７１０の幅または他
の特徴は深さと共に変更することができる。図７に示す非限定的な実施形態では、サイプ
の幅は、径方向外側部分７２０では非常に狭く、深さと共に急激に増大し、径方向内側部
分７３０はサイプとしては非常に幅広い。図７に示すサイプ７１０は、「かぎ穴サイプ（
ｋｅｙｈｏｌｅ  ｓｉｐｅ）」と称されることがある。続けて図７を参照すると、図示の
実施形態では、サイプの径方向外側部分７２０は正弦波によって定義される。径方向内側
部分７３０の形態は、径方向外側部分７２０の正弦曲線の形態と同様してもよく、それと
は異なってもよく；すなわち、径方向内側部分７３０は直線的、同様の波形、異なる波形
、または別の形状であってもよい。
【００１６】
サイプ７１０の幅が深さと共に変わる実施形態では、サイプの幅７１０は深さの関数と
することができる。深さの関数である幅は、等式によって定義することができ、線形、非
線形、連続的、または不連続であってもよい。例えば、限定しないが、特定の実施形態で
は、サイプの幅ｗは深さｄの線形関数、ｗ（ｄ）＝Ａ（ｄ）＋Ｂでよく；ここでＡおよび
Ｂは定数である。例えば、限定しないが、特定の実施形態では、サイプの幅ｗは深さｄの
二次関数、ｗ（ｄ）＝Ａ（ｄ）＾２＋Ｂ（ｄ）＋Ｃであってもよく；ここでＡ、Ｂ、およ
びＣは定数である。特定の実施形態では、サイプの幅は深さの不連続関数でよい。例えば
、限定しないが、特定の実施形態では、サイプの幅ｗは深さｄの不連続関数、０≦ｄ≦１
５ｍｍの場合はｗ（ｄ）＝Ｂ；１５＜ｄの場合は、ｗ（ｄ）＝Ａ（ｄ）＋Ｂであってもよ
く；ここでＡおよびＢは定数である。後者の不連続関数では、サイプは、深さが１５ｍｍ
以下の場合は一定の幅Ｂを有し、深さが１５ｍｍよりも大きい部分では線形に増大する幅
を有する。深さの増大と共に幅が増大するサイプを説明する関数は、本明細書ではオープ
ニング関数（ｏｐｅｎｉｎｇ  ｆｕｎｃｔｉｏｎ）と称される。
【００１７】
再度図６を参照すると、波形は、図６の上の波６１０および中央の波６２０に示すよう
に、タイプ、振動数もしくは波長、および／または振幅がその長さにわたって一定とする
こともでき、図６の下の波６３０に示すように、タイプ、振動数もしくは波長、および／
または振幅がその長さにわたって変化することもできる。振動数、波長、および振幅は全
て、位置の関数として変化する変数とすることができる。振動数、波長、および振幅を位
置の関数として変更できる一方法は、波形の経路に沿った位置によるものである。図５に
示すように、限定しないが、波形の経路５２０は、図５に示す波形において水平軸５３０
、すなわち距離に水平である。振動数、波長、および振幅を位置の関数として変更できる
別の方法は深さによるものである。図５および図７〜図９に示すように、限定しないが、
波形の深さは、図５に示す波形の水平軸５３０と垂直軸５４０の両方を横切る寸法に相当
し、すなわち、深さは、図５のページ内またはページ外への寸法である。サイプ自体は深
さ寸法に対して角度を成すかまたは傾斜していてよいが、サイプはやはりある程度の深さ
を有するものということができる。
【００１８】
図８、図９、および図１０に非限定的な実施形態であるトレッドの拡大図を示す。いく
つかの図において、見やすくするために図中のサイプの幅を誇張している場合がある。
【００１９】
図８、図９、および図１０の非限定的な実施形態はそれぞれ、サイプ８１０、９１０、
１０１０を示し、図示の領域またはエリアでは、サイプの径方向外側部分８２０、９２０
、１０２０は、第１の波長を有する第１の波形８３０、９３０、１０３０によって定義さ
れ、サイプの径方向内側部分８４０、９４０、１０４０は、第２の波長を有する第２の波
形８５０、９５０、１０５０によって定義される。その領域またはエリアは、ブロックま
たはリブなどのトレッド、別の有限の領域またはエリア、または少なくとも可変特性を有
する波形の場合は無限小の領域またはエリアの特定の形状部分でよい。第２の波形８５０
、９５０、１０５０は、図８、図９、および図１０に示す第１の波形８３０、９３０、１
０３０と同じ波形でもよく、異なる波形でもよい。第２の波長は第１の波長よりも小さく
ても、それと等しくても、それよりも大きくてもよい。第２の振幅は第１の振幅よりも小
さくても、それと等しくても、それよりも大きくてもよい。
【００２０】
図８の非限定的な実施形態では、径方向外側部分８２０と径方向内側部分８４０の両方
が、ジグザグ形の波形８３０、８５０を備え、径方向内側部分８４０の波形の振幅は、径
方向外側部分８２０の波形の振幅に実質的に等しく、径方向内側部分８４０の波形の波長
は、径方向外側部分８２０の波形の波長に実質的に等しい。
【００２１】
図９の非限定的な実施形態で示すサイプは、図８に示すものと同じ径方向内側部分９４
０の波形を有するが、図９に示す径方向外側部分９２０の波形は図８の径方向外側部分８
２０の波形よりも振幅がずっと小さい。図９の非限定的な実施形態に示すように、径方向
外側部分９２０と径方向内側部分９４０の両方が波形を備え、径方向内側部分９４０の波
形の振幅は径方向外側部分９２０の波形の振幅よりも実質的に大きく、径方向内側部分９
４０の波形の波長は径方向外側部分９２０の波長に実質的に等しい。特定の実施形態では
、径方向外側部分と径方向内側部分の両方が波形を備え、径方向内側部分の波形の振幅は
径方向外側部分の波形の振幅よりも１０％超大きいか、または径方向外側部分の波形の振
幅よりも２０％超大きいか、またはさらに大きい。
【００２２】
図１０の非限定的な実施形態に示すサイプは、径方向外側部分と径方向内側部分の両方
が波形を備え、径方向内側部分１０４０の波形の波長が径方向外側部分１０２０の波形の
波長よりもわずかに５０％をわずかに超える程度の分大きく、径方向内側部分１０４０の
波形の振幅が径方向外側部分１０２０の振幅に実質的に等しい。特定の実施形態では、径
方向外側部分と径方向内側部分の両方が波形を備え、径方向内側部分の波長は、径方向外
側部分の波長の波長よりも１０％超大きいか、または径方向外側部分の振幅よりも５０％
超大きいか、またはさらに大きい。
【００２３】
現実世界の全ての適用例において、サイプは、本明細書ではサイプ長さと称される有限
の長さを有する。波形サイプの波長とサイプ長さの比は、性能に関連することがある。波
形サイプの波長とサイプ長さの比は、非常に長いサイプ内の非常に短い波長の場合のほぼ
ゼロから、非常に短いサイプ内の非常に長い波長の場合のほぼ無限大までの範囲にあって
よい。
【００２４】
図１１に示す非限定的な実施形態では、波形サイプ１１２０を備えるトレッド要素１１
１０の拡大図が示されている。波形サイプ１１２０は、トレッド要素１１１０の全長にわ
たって延び、２８の波長から構成される。したがって、図１１の波形サイプ１１２０の波
長と波形サイプ１１２０のサイプ長さの比は、１／２８または約３．６％である。
【００２５】
図１２に示す非限定的な実施形態では、波形サイプ１２２０を備えるトレッド要素１２
１０の拡大図が示されている。波形サイプ１２２０は、トレッド要素１２１０の全長にわ
たって延び、５の波長から構成される。したがって、図１２の波形サイプ１２２０の波長
と波形サイプ１２２０のサイプ長さの比は、１／５または約２０％である。
【００２６】
図１３に示す非限定的な実施形態では、波形サイプ１３２０を備えるトレッド要素１３
１０の拡大図が示されている。波形サイプ１３２０は、トレッド要素１３１０の全長にわ
たって延び、１よりわずかに短い波長から構成されている。したがって、図１３の波形サ
イプ１３２０の波長と波形サイプ１３２０のサイプ長さの比は、１００％超である。
【００２７】
波形サイプの振幅と波形サイプの波長の比は性能に関連することがある。波形サイプの
振幅と波長の比は、非常に長い波長を有する波形の非常に小さい振幅の場合のほぼゼロか
ら、非常に短い波長を有する波形の非常に大きい振幅の場合のほぼ無限大までの範囲にあ
ってよい。
【００２８】
図１４に示す非限定的な実施形態では、波形サイプ１４２０を備えるトレッド要素１４
１０の拡大図が示されている。波形サイプ１４２０は、トレッド要素１４１０の全長にわ
たって延び、波形サイプ１４２０の振幅が波形サイプ１４２０の波長の約１／４である１
つの波長から構成される。したがって、波形サイプ１４２０の振幅と波形サイプ１４２０
の波長の比は約２５％である。
【００２９】
図１５に示す非限定的な実施形態では、波形サイプ１５２０を備えるトレッド要素１５
１０の拡大図が示されている。波形サイプ１５２０は、トレッド要素１５１０の全長にわ
たって延び、波形サイプ１５２０の振幅が波形サイプ１５２０の波長の約３／５である１
つの波長から構成される。したがって、図１５のサイプの振幅とその波長の比は約６２．
５％である。
【００３０】
図１６に示す非限定的な実施形態では、波形サイプ１６２０を備えるトレッド要素１６
１０の拡大図が示されている。波形サイプ１６２０は、トレッド要素１６１０の全長にわ
たって延び、波形サイプ１６２０の振幅が波形サイプ１６２０の波長の約１／１６である
１つの波長から構成される。したがって、図１６のサイプの振幅とその波長の比は約６．
２５％である。
【００３１】
３次元のサイプを特定の実施形態に関連して説明してきたが、他の実施形態を用いるこ
ともでき、３次元のサイプから逸脱することなしに３次元のサイプと同じ機能を実行する
ために、説明した実施形態に改変および追加を行うこともできることを理解されたい。さ
らに、３次元のサイプは、開示したが厳密に詳細を説明していない実施形態を含むことが
できる。さらに、様々な実施形態を組み合わせて所望の特徴をもたらすことができるので
、開示した全ての実施形態は必ずしも代替の形態にあるとは限らない。３次元のサイプの
概念および範囲から逸脱することなく当業者によって変更を加えることが可能である。し
たがって、３次元のサイプは、どんな単一の実施形態にも限定されるべきではないが、添
付の特許請求の範囲の記載による広がりおよび範囲に解釈されるものである。
【図１】
0006370947.tif 000002
【図２】
0006370947.tif 000003
【図３】
0006370947.tif 000004
【図４】
0006370947.tif 000005
【図５】
0006370947.tif 000006
【図６】
0006370947.tif 000007
【図７】
0006370947.tif 000008
【図８】
0006370947.tif 000009
【図９】
0006370947.tif 000010
【図１０】
0006370947.tif 000011
【図１１】
0006370947.tif 000012
【図１２】
0006370947.tif 000013
【図１３】
0006370947.tif 000014
【図１４】
0006370947.tif 000015
【図１５】
0006370947.tif 000016
【図１６】
0006370947.tif 000017